(57)【要約】【課題】  工具類を使用せず簡単にダンパを連結できるようにする。【解決手段】  収納装置固定部２の側面に、ヒンジ部３を中心とする円弧状のガイド孔３１を設け、収納装置固定部２に取付けたダンパ５の本体２２から突出された索状部材２３の先端にガイド孔３１に沿って移動可能なガイド部材３２を取付け、ガイド孔３１の開側端部にガイド部材３２を係止させる係止凹部３９を設け、開状態の収納装置開閉部４の側面に、スライド孔４０を設け、スライド孔４０を通して収納装置開閉部４の内側からガイド部材３２に連結可能な連結具４２を設け、係止凹部３９の位置で連結具４２をスライド孔４０へ挿着可能とする挿着手段４３を設けると共に、開側端部の位置で連結具４２をスライド孔４０にロックするロック手段４４を設けるようにしている。【選択図】        図１
2006327218.tif 000002
【特許請求の範囲】
【請求項１】
収納装置固定部にヒンジ部を介して収納装置開閉部を開閉自在に取付け、収納装置固定部と収納装置開閉部との間にダンパを介装した車両用収納装置において、
収納装置固定部の側面に、ヒンジ部を中心として収納装置開閉部の開閉範囲に亘る円弧状のガイド孔を設け、
収納装置固定部に取付けたダンパの本体から出入自在に突出された索状部材の先端にガイド孔に沿って移動可能なガイド部材を取付け、
ガイド孔の開側端部に円弧軌跡から外れた位置でガイド部材を係止させる係止凹部を設け、
開状態の収納装置開閉部の側面に、ガイド孔の開側端部と係止凹部との間の位置を結ぶスライド孔を設け、
該スライド孔を通して収納装置開閉部の内側からガイド部材に連結可能な連結具を設け、
前記係止凹部の位置で連結具をスライド孔へ挿着可能とする挿着手段を設けると共に、前記開側端部の位置で連結具をスライド孔にロックするロック手段を設けたことを特徴とする車両用収納装置。
【請求項２】
前記収納装置固定部の奥部に開口部を設け、該開口部にヒューズブロックを配設したことを特徴とする請求項１記載の車両用収納装置。
【発明の詳細な説明】
【技術分野】
【０００１】
この発明は、車両用収納装置に関するものである。
【背景技術】
【０００２】
自動車などの車両には、車室内にグローブボックスなどの車両用収納装置が設けられている。この車両用収納装置は、車体に固定される収納装置固定部にヒンジ部を介して収納装置開閉部を開閉自在に取付け、収納装置固定部と収納装置開閉部との間に収納装置開閉部の開速度を減衰させるダンパを介装したものである（例えば、特許文献１参照）。
【特許文献１】特開２００１−３２３７２１号公報
【発明の開示】
【発明が解決しようとする課題】
【０００３】
しかしながら、上記車両用収納装置では、ダンパとして、筒状の本体からコイルスプリングなどの弾性力によって索状部材が出入自在に突出された筒型のものを使用している場合、収納装置固定部にヒンジ部を介して収納装置開閉部を開閉自在に取付けた後、収納装置固定部に固定したダンパの本体からコイルスプリングなどの弾性力に抗して索状部材を引出し、索状部材の先端を閉状態の収納装置開閉部に連結するようにしているが、この連結作業中にコイルスプリングなどの弾性力が直接作業者に加わるので作業がやり難いという問題や、連結する位置が狭くて隠れた箇所となったりするので工具類が必要になるという問題などがあった。
【０００４】
また、ヒューズの交換は工具を使用せずに行えることが望ましいが、従来のグローブボックスなどの車両用収納装置は着脱に工具を必要とするので、グローブボックスの奥部にヒューズブロックなどの装備を設定することができなかった。そのため、助手席側のエンジンルームから車室内に引き込まれたハーネスを、運転席側に設置したヒューズブロックまで配索するようにしており、ハーネスが長くなっていた。また、運転席側に設置したヒューズブロックに対する作業を可能とするために別体のリッドが必要となっていた。
【課題を解決するための手段】
【０００５】
上記課題を解決するために、請求項１に記載された発明では、収納装置固定部にヒンジ部を介して収納装置開閉部を開閉自在に取付け、収納装置固定部と収納装置開閉部との間にダンパを介装した車両用収納装置において、収納装置固定部の側面に、ヒンジ部を中心として収納装置開閉部の開閉範囲に亘る円弧状のガイド孔を設け、収納装置固定部に取付けたダンパの本体から出入自在に突出された索状部材の先端にガイド孔に沿って移動可能なガイド部材を取付け、ガイド孔の開側端部に円弧軌跡から外れた位置でガイド部材を係止させる係止凹部を設け、開状態の収納装置開閉部の側面に、ガイド孔の開側端部と係止凹部との間を結ぶスライド孔を設け、該スライド孔を通して収納装置開閉部の内側からガイド部材に連結可能な連結具を設け、前記係止凹部の位置で連結具をスライド孔へ挿着可能とする挿着手段を設けると共に、前記開側端部の位置で連結具をスライド孔にロックするロック手段を設けた車両用収納装置を特徴としている。
【０００６】
請求項２に記載された発明では、前記収納装置固定部の奥部に開口部を設け、該開口部にヒューズブロックを配設した車両用収納装置を特徴としている。
【発明の効果】
【０００７】
請求項１の発明によれば、収納装置固定部と収納装置開閉部との間にダンパを介装する場合には、先ず、ダンパの索状部材の先端に取付けたガイド部材を、収納装置固定部の側面に設けたガイド孔に移動可能に取付ける。次に、索状部材をダンパの本体から引出しつつガイド孔に沿ってガイド部材を開側端部まで移動させる。そして、ガイド部材をガイド孔の開側端部の円弧軌跡から外れた位置に設けた係止凹部に係止させる。この状態にすると、ダンパの操作力が係止凹部に作用し、ガイド部材が係止凹部から外れないよう保持される。次に、開状態の収納装置開閉部の内側からスライド孔の係止凹部の位置に連結具を挿着手段を介して挿着すると共に、該スライド孔を通して連結具をガイド部材に連結させる。そして、スライド孔に沿って、連結具ごとガイド部材をガイド孔の開側端部へ移動させ、連結具をロック手段に係止させる。以上により、工具類を使用せずに内側から簡単にダンパを連結できるようになる。そして、この状態では、ガイド孔に沿ったガイド部材の移動が可能となり、収納装置開閉部の開閉に伴うダンパの減衰機能が発揮される。この際、係止凹部はガイド孔の円弧軌跡から外れた位置にあるので、ガイド部材と連結具とが不用意に外れてしまうことがない。また、収納装置固定部と収納装置開閉部との間からダンパを取外す場合には、上記とほぼ反対の手順を行うようにする。これにより、工具類を使用せずに内側から簡単にダンパを取外すことができる。また、これにより、工具を使用せずに収納装置固定部に対して収納装置開閉部を簡単に脱着することが可能となる。
【０００８】
請求項２に記載された発明では、工具を使用せずに収納装置固定部に対して収納装置開閉部を簡単に脱着することが可能となっているため、これを利用して収納装置固定部の奥部に開口部を設け、該開口部にヒューズブロックを配設することにより、工具を使用せずにヒューズの交換を行うことが可能となり、その分、助手席側のエンジンルームから車室内へ引き込んだヒューズブロック用ハーネスの長さを短くすることが可能となる。また、開口部には別体のリッド（蓋体）を取付ける必要がないので、部品点数を削減することができると共に、インストルメントパネルの表面にはリッドによる分割線が生じないので、その分、見栄えを向上することができる。
【発明を実施するための最良の形態】
【０００９】
工具類を使用せず簡単にダンパを連結できるようにするという目的を、収納装置固定部の側面に、ヒンジ部を中心として収納装置開閉部の開閉範囲に亘る円弧状のガイド孔を設け、収納装置固定部に取付けたダンパの本体から出入自在に突出された索状部材の先端にガイド孔に沿って移動可能なガイド部材を取付け、ガイド孔の開側端部に円弧軌跡から外れた位置でガイド部材を係止させる係止凹部を設け、開状態の収納装置開閉部の側面に、ガイド孔の開側端部と係止凹部との間を結ぶスライド孔を設け、スライド孔を通して収納装置開閉部の内側からガイド部材に連結可能な連結具を設け、係止凹部の位置で連結具をスライド孔へ挿着可能とする挿着手段を設けると共に、開側端部の位置で連結具をスライド孔にロックするロック手段を設ける、という手段で実現した。
【実施例】
【００１０】
以下、本発明を具体化した実施例について、図示例と共に説明する。
【００１１】
図１〜図１０は、この発明の実施例を示すものである。
【００１２】
まず、構成を説明すると、自動車などの車両には、車室内の前部に設けられたインストルメントパネルの助手席側の部分に、グローブボックスなどの車両用収納装置１が設けられている。この車両用収納装置１は、車体の側に固定される収納装置固定部２にヒンジ部３を介して収納装置開閉部４を開閉自在に取付け、収納装置固定部２と収納装置開閉部４との間にダンパ５を介装したものである。このダンパ５は、収納装置開閉部４の開速度を減衰させるようにするためのものである。
【００１３】
この実施例では、収納装置固定部２は、手前側に開口部６を有するほぼ箱形状を呈している。収納装置固定部２の上部には、上段収納スペース７を形成するアッパ部材８が取付けられるようになっている。そして、収納装置固定部２の開口部６には上段収納スペース７を含む大きさのフランジ部９が設けられている。一方、収納装置開閉部４は、フランジ部９とほぼ同じ大さの蓋部１５と、この蓋部１５に一体的に設けられた収納箱部１６とを備えている。蓋部１５は、閉時にインストルメントパネルとほぼ面一となるよう構成されている。また、収納箱部１６は、収納装置固定部２の内部へ収納可能な大きさおよび形状を有し、上面に開口１７を有している。そして、ヒンジ部３は、収納装置開閉部４が手前側へ向けて下開きするように、車両用収納装置１の下部に設定されている。
【００１４】
そして、収納装置固定部２の奥面外側下部にはダンパ５を取付けるための取付座２１が形成されている。このダンパ５は、横方向へ延びる筒状の本体２２から索状部材２３が出入自在に突出された筒型のものとなっている。本体２２の内部にはコイルスプリングなどの弾性体２４が設置され、この弾性体２４に索状部材２３の基端が固結されており、索状部材２３の出入に伴いコイルスプリングなどの弾性力が作用するよう構成されている。
【００１５】
また、収納装置固定部２の両側面には、ヒンジ部３を中心として収納装置開閉部４の開閉範囲に亘る円弧状のストッパ孔２５が設けられ、これに対応して、収納装置開閉部４の両側面には、ストッパ孔２５に沿って移動されるストッパ用ガイド軸部２６が突設されて、収納装置開閉部４の開閉範囲を規制するようになっている。
【００１６】
この実施例のものでは、収納装置固定部２の側面に、ヒンジ部３を中心として収納装置開閉部４の開閉範囲に亘る円弧状のガイド孔３１を設ける。そして、収納装置固定部２に取付けたダンパ５の本体２２から出入自在に突出された索状部材２３の先端に、ガイド孔３１に沿って移動可能なガイド部材３２を取付ける。
【００１７】
ここで、ガイド部材３２は、例えば、円筒状の胴部３３の両端に内外のフランジ３４，３５を有するボビン形状をしたワイヤクリップなどとする。索状部材２３の先端は、外フランジ３５から突設された固結部３７に固結される。そして、ガイド孔３１の閉側端部にガイド部材３２を差込む通孔３８を形成する。この通孔３８は、ガイド部材３２の内フランジ３４を通せる大きさおよび形状を有しており、ガイド孔３１よりも幅広とされている。
【００１８】
そして、ガイド孔３１の開側端部に、ガイド孔３１の円弧軌跡から外れた位置でガイド部材３２を係止させる係止凹部３９を設ける。そして、開状態の収納装置開閉部４の側面に、ガイド孔３１の開側端部と係止凹部３９との間を結ぶスライド孔４０を設ける。
【００１９】
ここで、スライド孔４０は、ワイヤクリップなどのガイド部材３２における円筒状の胴部３３の軸孔の軌跡と対応するように形成する。スライド孔４０および係止凹部３９は、この実施例では、操作し易いように円弧状となっているが、直線状などとすることもできる。
【００２０】
そして、スライド孔４０を通して収納装置開閉部４の内側からガイド部材３２に連結可能な連結具４２を設ける。更に、係止凹部３９の位置で連結具４２をスライド孔４０へ挿着可能とする挿着手段４３を設けると共に、開側端部の位置で連結具４２をスライド孔４０にロックするロック手段４４を設ける。
【００２１】
ここで、連結具４２は、収納装置開閉部４の収納箱部１６内側面にほぼ当接した状態で移動可能なほぼ扇型をした当面部４５と、この当面部４５の内面側に形成された摘み部４６と、当面部４５の外面側から突設された挿入ピン部４７および回転中心軸部４８とを備えている。摘み部４６は、ほぼ扇型をした当面部４５のほぼ要目の位置を通り、外周の円弧をほぼ二等分する位置へ向かって延びている。挿入ピン部４７は、当面部４５のほぼ扇型の要目から所要距離だけ外周側へ外れた位置で且つ摘み部４６と重ならない位置に設けられている。この挿入ピン部４７は、ワイヤクリップなどのガイド部材３２における円筒状の胴部３３の軸孔へ挿入可能な大きさを有している。回転中心軸部４８は、ほぼ扇型をした当面部４５のほぼ要目の位置に設けられている。これに対応させて、収納装置開閉部４の収納箱部１６の対応する側面には、回転中心軸部４８を挿入する挿入孔部４９が形成されている。この回転中心軸部４８は、円弧状のスライド孔４０の中心位置に設けられる。
【００２２】
挿着手段４３としては、例えば、収納装置開閉部４における収納箱部１６の側面の肉厚分だけ挿入ピン部４７の基部から離れた位置から側方へ突設された突起部５３と、スライド孔４０の係止凹部３９の側に形成されて突起部５３と対応する形状をした受用切欠５４とする。
【００２３】
ロック手段４４としては、例えば、収納装置開閉部４の収納箱部１６外側面に形成されて突起部５３を係止させる係止用突起部５５などとする。
【００２４】
更に、収納装置固定部４の奥部に開口部６０を設け、この開口部６０にヒューズブロック６１を配設する。
【００２５】
次に、この実施例の作用について説明する。
【００２６】
グローブボックスなどの車両用収納装置１は、車体の側に固定される収納装置固定部２にヒンジ部３を介して収納装置開閉部４を開閉自在に取付け、収納装置固定部２と収納装置開閉部４との間にダンパ５を介装することによって組立てられる。
【００２７】
そして、収納装置固定部２と収納装置開閉部４との間にダンパ５を介装する場合には、先ず、ダンパ５の索状部材２３の先端にガイド部材３２を取付け、このガイド部材３２を、収納装置固定部２の側面に設けたガイド孔３１に移動可能に取付ける。この際、ガイド孔３１の閉側端部に設けた通孔３８からガイド部材３２を差込むようにして取付けるようにする。
【００２８】
次に、索状部材２３をダンパ５の本体２２から引出しつつガイド孔３１に沿ってガイド部材３２を開側端部まで移動させる。そして、図７に示すように、ガイド部材３２をガイド孔３１の開側端部の円弧軌跡から外れた位置に設けた係止凹部３９に係止させる。この状態にすると、ダンパ５の操作力が係止凹部３９に作用し、ガイド部材３２が係止凹部３９から外れないよう保持される。
【００２９】
次に、図８に示すように、開状態の収納装置開閉部４の内側からスライド孔４０の係止凹部３９の位置に連結具４２を挿着手段４３を介して挿着すると共に、スライド孔４０を通して連結具４２をガイド部材３２に連結させる。この際、挿着手段４３を構成している挿入ピン部４７の突起部５３がスライド孔４０の受用切欠５４と合致されて、連結具４２の挿入ピン部４７が、ワイヤクリップなどのガイド部材３２における円筒状の胴部３３の軸孔へ挿入される。
【００３０】
そして、図９に示すように、スライド孔４０に沿って、連結具４２ごとガイド部材３２をガイド孔３１の開側端部へ移動させ、連結具４２をロック手段４４に係止させる。この際、収納装置開閉部４の収納箱部１６の対応する側面に形成した挿入孔部４９に、連結具４２の回転中心軸部４８を挿入した状態にして連結具４２を回転中心軸部４８を中心として捻ることにより、簡単に連結具４２ごとガイド部材３２をガイド孔３１の開側端部へ移動させることができる。この時、ロック手段４４を構成している係止用突起部５５を突起部５３が乗り越えて係止されることにより、開側端部の位置で連結具４２がスライド孔４０にロックされる。
【００３１】
以上により、工具類を使用せずに内側から簡単にダンパ５を連結できるようになる。
【００３２】
そして、この状態では、図１０に示すように、ガイド孔３１に沿ったガイド部材３２の移動が可能となり、収納装置開閉部４の開閉に伴うダンパ５の減衰機能が発揮される。この際、係止凹部３９はガイド孔３１の円弧軌跡から外れた位置にあるので、ガイド部材３２と連結具４２とが不用意に外れてしまうことがない。
【００３３】
また、収納装置固定部２と収納装置開閉部４との間からダンパ５を取外す場合には、上記とほぼ反対の手順を行うようにする。これにより、工具類を使用せずに内側から簡単にダンパ５を取外すことができる。また、これにより、工具を使用せずに収納装置固定部２に対して収納装置開閉部４を簡単に脱着することが可能となる。
【００３４】
更に、上記したように、工具を使用せずに収納装置固定部２に対して収納装置開閉部４を簡単に脱着することが可能となっているため、これを利用して収納装置固定部２の奥部に開口部６０を設け、この開口部６０にヒューズブロック６１を配設することにより、工具を使用せずにヒューズの交換を行うことが可能となり、その分、助手席側のエンジンルームから車室内へ引き込んだヒューズブロック用ハーネスの長さを短くすることが可能となる。また、開口部６０には別体のリッド（蓋体）を取付ける必要がないので、部品点数を削減することができると共に、インストルメントパネルの表面にはリッドによる分割線が生じないので、その分、見栄えを向上することができる。
【００３５】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００３６】
【図１】本発明の実施例の全体斜視図である。
【図２】図１の側面図である。
【図３】図２の縦断面図である。
【図４】図１の分解斜視図である。
【図５】図２の分解側面図である。
【図６】連結具を示し、（ａ）は正面図、（ｂ）は側面図、（ｃ）は背面図、（ｄ）は平面図である。
【図７】本発明の実施例にかかる第１の作動図である。
【図８】第２の作動図である。
【図９】第３の作動図である。
【図１０】第４の作動図である。
【符号の説明】
【００３７】
１    車両用収納装置
２    収納装置固定部
３    ヒンジ部
４    収納装置開閉部
５    ダンパ
３１  ガイド孔
２２  本体
２３  索状部材
３２  ガイド部材
３９  係止凹部
４０  スライド孔
４２  連結具
４３  挿着手段
４４  ロック手段
６０  開口部
６１  ヒューズブロック
【図１】
2006327218.tif 000003
【図２】
2006327218.tif 000004
【図３】
2006327218.tif 000005
【図４】
2006327218.tif 000006
【図５】
2006327218.tif 000007
【図６】
2006327218.tif 000008
【図７】
2006327218.tif 000009
【図８】
2006327218.tif 000010
【図９】
2006327218.tif 000011
【図１０】
2006327218.tif 000012